(57)【要約】生体血管から物質または物体を回収するためのシステムが提供される。システムは、収縮状態と拡張状態との間を移行するように構成された細長い編組構造を含み、細長い編組構造は、拡張状態にあるときに遠位開口部を有するルーメンを取り囲む。システムは、細長い編組構造の長さに沿って配置された閉鎖ワイヤをさらに含み、閉鎖ワイヤは、細長い編組構造の遠位部分を内側に引っ張って、それにより遠位開口部を少なくとも部分的に閉じるように作動可能である。【選択図】図１Ａ
2021511844.tif 000002
【特許請求の範囲】
【請求項１】
生体血管から物質または物体を回収するためのシステムであって、
（ａ）収縮状態と拡張状態との間を移行するように構成された細長い構造であって、前記細長い構造は、前記拡張状態にあるときに遠位開口部を有するルーメンを取り囲む、細長い構造と、
（ｂ）前記細長い構造の長さに沿って配置された閉鎖ワイヤであって、前記閉鎖ワイヤは、前記細長い構造の遠位部分を内側に引っ張って、それにより前記遠位開口部を少なくとも部分的に閉じるように作動可能である、閉鎖ワイヤと、を含み、
前記閉鎖ワイヤは、前記細長い構造が前記長さに沿って曲げられたときに、前記細長い構造の前記遠位部分が内側に引っ張られないように配置される、システム。
【請求項２】
前記細長い構造は、細長い編組構造である、請求項１に記載のシステム。
【請求項３】
前記細長い編組構造は、拡張されると、長さが減少する、請求項２に記載のシステム。
【請求項４】
前記閉鎖ワイヤは、前記細長い編組構造の前記長さに沿って螺旋状である、請求項２に記載のシステム。
【請求項５】
前記細長い編組構造の前記遠位部分は、アイレットを含み、さらに前記閉鎖ワイヤは、前記アイレットのうちの少なくともいくつかを通って延びる、請求項２に記載のシステム。
【請求項６】
前記細長い編組構造は、複数の逆螺旋状に巻かれたワイヤと交差する複数の螺旋状に巻かれたワイヤを含む、請求項３に記載のシステム。
【請求項７】
前記複数の螺旋状に巻かれたワイヤのうちの少なくともいくつかは、前記複数の逆螺旋状に巻かれたワイヤと７０〜１２０°の角度で交差する、請求項６に記載のシステム。
【請求項８】
前記細長い編組構造の遠位端は、複数のワイヤループを形成する、請求項７に記載のシステム。
【請求項９】
アイレットの平面は、ワイヤループの平面とは異なる、請求項８に記載のシステム。
【請求項１０】
前記複数のワイヤループの各々は、螺旋状に巻かれたワイヤを逆螺旋状に巻かれたワイヤに相互接続する、請求項８に記載のシステム。
【請求項１１】
前記複数のワイヤループは、互いに交差する、請求項８に記載のシステム。
【請求項１２】
前記細長い編組構造に取り付けられたカテーテルをさらに含む、請求項２に記載のシステム。
【請求項１３】
前記細長い編組構造は、前記カテーテルの遠位部分内で収縮した状態に維持可能である、請求項１２に記載のシステム。
【請求項１４】
前記カテーテルの前記遠位部分は、シースを含み、前記細長い編組構造は、前記シースが引き込まれると、自己拡張する、請求項１３に記載のシステム。
【請求項１５】
前記細長い編組構造は、血管内に配置されるようなサイズである、請求項２に記載のシステム。
【請求項１６】
前記細長い編組構造は、カバーを含む、請求項２に記載のシステム。
【請求項１７】
前記カバーは、ポリウレタンまたはＰＴＦＥから製造される、請求項１６に記載のシステム。
【請求項１８】
前記閉鎖ワイヤは、前記編組構造と前記カバーとの間に捕捉されるか、または前記カバー内に埋め込まれる、請求項１６に記載のシステム。
【請求項１９】
前記細長い編組構造は、前記遠位開口部で吸引を加えることができる、請求項１６に記載のシステム。
【請求項２０】
前記細長い編組構造の前記ルーメンと連通する真空源をさらに含む、請求項１９に記載のシステム。
【請求項２１】
ワイヤは、前記細長い編組構造の前記長さにわたって延びる管内に配置される、請求項２に記載のシステム。
【請求項２２】
前記複数のワイヤループのうちの１つのループを形成するワイヤ部分は、前記複数のワイヤループの近位にある前記細長い編組構造を形成する第２のワイヤ部分よりも柔軟である、請求項８に記載のシステム。
【請求項２３】
前記閉鎖ワイヤは、前記アイレットのうちの少なくとも１つのアイレットに取り付けられている、請求項５に記載のシステム。
【請求項２４】
前記複数のワイヤループの各々は、前記遠位開口部から外向きに角度を付ける、請求項８に記載のシステム。
【請求項２５】
収縮状態と拡張状態との間で移行するように構成された細長い編組構造を含み、前記細長い編組構造は、前記拡張状態にあるときに遠位開口部を有するルーメンを取り囲む、生体血管から物質または物体を回収するためのシステムであって、
前記細長い編組構造は、前記細長い編組構造の前記遠位開口部の周りに複数のワイヤループを形成する、複数の逆螺旋巻きワイヤと交差する複数の螺旋巻きワイヤを含む、システム。
【請求項２６】
前記複数のワイヤループの各々は、螺旋状に巻かれたワイヤを逆螺旋状に巻かれたワイヤに相互接続する、請求項２５に記載のシステム。
【請求項２７】
前記複数の螺旋状に巻かれたワイヤは、前記複数の逆螺旋状に巻かれたワイヤと７０〜１２０°の角度で交差する、請求項２５に記載のシステム。
【請求項２８】
前記細長い編組構造は、血管内に配置されるようなサイズである、請求項２５に記載のシステム。
【請求項２９】
生体血管から物質または物体を回収する方法であって、
（ａ）請求項１または２３に記載のシステムを生体血管内に配置するステップと、
（ｂ）物質または物体を前記ルーメンに引き込むステップと、
（ｃ）前記細長い編組構造の前記遠位開口部を少なくとも部分的に閉じるステップと、
を含む、方法。
【発明の詳細な説明】
【技術分野】
【０００１】
本発明は、生体血管から物質または物体を回収するためのシステムおよびそれを使用する方法に関する。本発明の実施形態は、生体血管内に配置された血塊（ｃｌｏｔ）などの物質またはステントなどの物体などの材料を把持または捕捉することができる細長い編組構造を有するシステムに関する。
【背景技術】
【０００２】
動脈などの生体血管の閉塞を解除する手順は、当技術分野で周知であり、通常、血管ルーメンを閉塞している物質を開いたり、分解したり、除去したりできる最小侵襲デバイスを使用する。
【０００３】
例えば、虚血性脳卒中または肺塞栓症の治療に使用される従来の血塊除去デバイスは、血塊物質を吸引するために吸引を使用する。
【０００４】
そのような吸引デバイスは小さな血塊を回収するのに効果的であるが、大きな血塊の吸引は、血塊の断片化と潜在的に有害な血塊粒子の血流への放出につながる可能性がある。
【０００５】
近年、脈管構造から血塊物質を機械的に捕捉および回収するように設計された機械的血栓摘出術デバイスの分野で大きな進歩が見られた。
【０００６】
ただし、機械的血栓摘出術の進歩にも関わらず、特に血栓の係合および最小限の血栓の断片化を有する引き込みにおいて、改善の余地がある。
【０００７】
したがって、血管内の流れを効果的に停止することができ、血塊の断片化を最小限に抑えながら閉塞物質を捕捉、カプセル化および除去することができる回収システムが必要であり、それを有することは非常に有利である。
【発明の概要】
【課題を解決するための手段】
【０００８】
本発明の一態様によれば、生体血管から物質または物体を回収するためのシステムであって、収縮状態と拡張状態との間を移行するように構成された細長い構造であって、細長い構造は、拡張状態にあるときに遠位開口部を有するルーメンを取り囲む、細長い構造と、細長い構造の長さに沿って配置された閉鎖ワイヤであって、閉鎖ワイヤは、細長い構造の遠位部分を内側に引っ張って、それにより遠位開口部を少なくとも部分的に閉じるように作動可能である、閉鎖ワイヤと、を含み、閉鎖ワイヤは、細長い構造が長さに沿って曲げられたときに、細長い構造の遠位部分が内側に引っ張られないように配置される、システムが提供される。
【０００９】
本発明の実施形態によれば、細長い構造は、細長い編組構造である。
【００１０】
本発明の実施形態によれば、細長い編組構造は、拡張されると、長さが減少する。
【００１１】
本発明の実施形態によれば、閉鎖ワイヤは、細長い編組構造の長さに沿って螺旋状である。
【００１２】
本発明の実施形態によれば、細長い編組構造の遠位部分は、アイレットを含み、さらに閉鎖ワイヤは、アイレットのうちの少なくともいくつかを通って延びる。
【００１３】
本発明の実施形態によれば、細長い編組構造は、複数の逆螺旋状に巻かれたワイヤと交差する複数の螺旋状に巻かれたワイヤを含む。
【００１４】
本発明の実施形態によれば、複数の螺旋状に巻かれたワイヤのうちの少なくともいくつかは、複数の逆螺旋状に巻かれたワイヤと７０〜１２０°の角度で交差する。
【００１５】
本発明の実施形態によれば、細長い編組構造の遠位端は、複数のワイヤループを形成する。
【００１６】
本発明の実施形態によれば、アイレットの平面は、ワイヤループの平面とは異なる。
【００１７】
本発明の実施形態によれば、複数のワイヤループの各々は、螺旋状に巻かれたワイヤを逆螺旋状に巻かれたワイヤに相互接続する。
【００１８】
本発明の実施形態によれば、複数のワイヤループは、互いに交差する。
【００１９】
本発明の実施形態によれば、システムは、細長い編組構造に取り付けられたカテーテルをさらに含む。
【００２０】
本発明の実施形態によれば、細長い編組構造は、カテーテルの遠位部分内で収縮した状態に維持可能である。
【００２１】
本発明の実施形態によれば、カテーテルの遠位部分は、シースを含み、細長い編組構造は、シースが引き込まれると、自己拡張する。
【００２２】
本発明の実施形態によれば、細長い編組構造は、血管内に配置するためのサイズである。
【００２３】
本発明の実施形態によれば、細長い編組構造は、カバーを含む。
【００２４】
本発明の実施形態によれば、カバーは、ポリウレタンまたはＰＴＦＥから製造される。
【００２５】
本発明の実施形態によれば、閉鎖ワイヤは、編組構造とカバーとの間に捕捉されるか、またはカバー内に埋め込まれる。
【００２６】
本発明の実施形態によれば、細長い編組構造は、遠位開口部で吸引を加えることができる。
【００２７】
本発明の実施形態によれば、システムは、細長い編組構造のルーメンと連通する真空源をさらに含む。
【００２８】
本発明の実施形態によれば、ワイヤは、細長い編組構造の長さにわたって延びる管内に配置される。
【００２９】
本発明の実施形態によれば、複数のワイヤループのうちの１つのループを形成するワイヤ部分は、複数のワイヤループの近位にある細長い編組構造を形成する第２のワイヤ部分よりも柔軟（ｃｏｍｐｌｉａｎｔ）である。
【００３０】
本発明の実施形態によれば、閉鎖ワイヤは、アイレットのうちの少なくとも１つのアイレットに取り付けられる。
【００３１】
本発明の実施形態によれば、複数のワイヤループの各々は、遠位開口部から外向きに角度を付ける。
【００３２】
本発明の別の態様によれば、収縮状態と拡張状態との間で移行するように構成された細長い編組構造を含む、生体血管から物質または物体を回収するためのシステムであり、細長い編組構造は、拡張状態にあるときに遠位開口部を有するルーメンを取り囲む、システムであって、細長い編組構造は、細長い編組構造の遠位開口部の周りに複数のワイヤループを形成する、複数の逆螺旋巻きワイヤと交差する複数の螺旋巻きワイヤを含む、システムが提供される。
【００３３】
本発明の実施形態によれば、複数のワイヤループの各々は、螺旋状に巻かれたワイヤを逆螺旋状に巻かれたワイヤに相互接続する。
【００３４】
本発明の実施形態によれば、複数の螺旋状に巻かれたワイヤは、複数の逆螺旋状に巻かれたワイヤと７０〜１２０°の角度で交差する。
【００３５】
本発明の実施形態によれば、細長い編組構造は、血管内に配置するためのサイズである。
【００３６】
本発明のさらに別の態様によれば、生体血管から物質または物体を回収する方法であって、システムを生体血管内に配置するステップと、物質または物体をルーメンに引き込むステップと、細長い編組構造の遠位開口部を少なくとも部分的に閉じるステップと、を含む、方法が提供される。
【００３７】
特に定義されない限り、本明細書で使用されるすべての技術用語および科学用語は、本発明が属する技術分野の当業者によって一般に理解されるのと同じ意味を有する。本明細書に記載のものと同様または同等の方法および材料を本発明の実施または試験に使用することができるが、適切な方法および材料を以下に記載する。矛盾する場合は、定義を含む特許明細書が優先される。さらに、材料、方法、および例は、単なる例示であり、限定を意図するものではない。
【００３８】
本発明は、添付図面を参照して、例としてのみ本明細書で説明される。ここで図面を具体的に参照すると、示されている詳細は、例として、本発明の好ましい実施形態の例示的な説明のみを目的としており、本発明の原理および概念的側面の最も有用かつ容易に理解される説明であると考えられることを提供するために提示される。これに関して、本発明の基本的な理解に必要なものよりも詳細に本発明の構造の詳細を示す試みは行われず、図面を用いた説明は、実際に具体化され得る本発明のいくつかの形態がどのようにして当業者に明らかになるかを明らかにする。
【図面の簡単な説明】
【００３９】
【図１Ａ】図１Ａは、本システムの一実施形態の等角図である。
【図１Ｂ】図１Ｂは、本システムの一実施形態の側面図である。
【図２Ａ】図２Ａは、拡張開状態で示された細長い編組構造の一実施形態の等角図である。
【図２Ｂ】図２Ｂは、閉状態で示された細長い編組構造の一実施形態の等角図である。
【図２Ｃ】図２Ｃは、編組構造に通された螺旋状閉鎖ワイヤを示す細長い編組構造の一実施形態の等角図である。
【図３Ａ】図３Ａは、本システムの一実施形態を使用した血塊回収を示す。
【図３Ｂ】図３Ｂは、本システムの一実施形態を使用した血塊回収を示す。
【図３Ｃ】図３Ｃは、本システムの一実施形態を使用した血塊回収を示す。
【図３Ｄ】図３Ｄは、本システムの一実施形態を使用した血塊回収を示す。
【図３Ｅ】図３Ｅは、本システムの一実施形態を使用した血塊回収を示す。
【図４Ａ】図４Ａは、拡張開状態の細長い編組構造のプロトタイプを示す。
【図４Ｂ】図４Ｂは、閉状態の細長い編組構造のプロトタイプを示す。
【図４Ｃ】図４Ｃは、閉じた反転状態の細長い編組構造のプロトタイプを示す。
【図５】図５は、本プロトタイプを使用したステント回収を示す。
【図６】図６は、本システムのプロトタイプを使用した血塊回収を示す血管造影図（ａｎｇｉｏｇｒａｐｈ）である。
【図７】図７は、本システムのプロトタイプを使用した血塊回収を示す血管造影図である。
【発明を実施するための形態】
【００４０】
本発明は、生体血管から物質および物体を回収するために使用することができるシステムに関する。具体的には、本発明の実施形態は、血塊の断片化を最小限にしながら血管から血塊を回収するために使用することができる。
【００４１】
本発明の原理および動作は、図面および付随する説明を参照してよりよく理解され得る。
【００４２】
本発明の少なくとも１つの実施形態を詳細に説明する前に、本発明は、その用途において、以下の説明に記載されるかまたは実施例によって例示される詳細に限定されないことを理解されたい。本発明は、他の実施形態が可能であり、またはさまざまな方法で実施または実行することが可能である。また、本明細書で使用される語法および用語は、説明を目的とするものであり、限定と見なされるべきではないことを理解されたい。
【００４３】
血塊物質を回収するためにスリーブ状トラップを利用する機械的血栓摘出術デバイスは、当技術分野でよく知られている。このようなトラップは、回収された血塊をスリーブ内に維持し、脈管構造から引き出されたときのスリーブからの血塊または断片の放出を最小限にするための閉鎖可能な遠位開口部を含み得る。スリーブ型トラップの閉鎖メカニズムは、遠位開口部の有効径を小さくすることができ、それにより、そのようなスリーブによって回収できる血塊の最大サイズを小さくすることができる。
【００４４】
本発明を実施に移している間、本発明者らは、血塊の断片化を最小限にしながら血塊の回収を最大にすることができる機械的血栓摘出術システムを提供することを目指した。本システムは、編組構造内に血塊物質を捕捉することができる閉鎖可能な遠位端が形成された細長い編組構造を含む。細長い編組構造は、遠位開口部が血管ルーメンの直径に適応し、それにより、断片化を最小限に抑えながら大きな血塊の回収を最大化する、収縮状態と拡張状態との間で移行するように構成される。細長い編組はまた、完全な閉鎖および任意選択で遠位開口部の内部反転を可能にしながら、細長い編組構造の長手方向の曲がりの影響を受けず、遠位開口部の直径を減少させない閉鎖機構も含む。
【００４５】
したがって、本発明の一態様によれば、生体血管から物質または物体を回収するためのシステムが提供される。
【００４６】
本明細書で使用される場合、「物質」という用語は、血栓／血塊、結石などの生体物質を指し、一方、「物体」という用語は、ステント、ステントグラフトなどのインプラントを指す。
【００４７】
本システムを使用して任意の生体血管にアクセスし、治療することができ、例には、脈管構造の血管（例えば、動脈、静脈）、尿路の血管（例えば、尿道、尿管）および脳の血管が含まれる。
【００４８】
本発明のシステムは、収縮状態と拡張状態との間で移行するように構成された細長い編組構造を含む。拡張状態にあるとき、細長い編組構造は、遠位開口部を介してアクセス可能なルーメンを有するシリンダ／スリーブ／漏斗として成形することができる。収縮されたとき、細長い編組構造は、小さなルーメン（ガイドワイヤおよびマイクロカテーテルの挿入に十分な大きさ）を有する細いシリンダである。細長い編組構造は、自己拡張することができ、その場合、それは、血管の直径によって制限される最終直径まで（編組構造によって制限される直径まで）自己拡張する。
【００４９】
本発明の一実施形態によれば、細長い編組構造は、螺旋方向と逆螺旋方向を交互に編組した金属（例えば、ステンレス鋼またはニチノール）または高分子（例えば、ＰＴＦＥ）ワイヤから製造することができる。ワイヤの編組角度は７０〜１４０°の範囲であり得る一方、ワイヤの直径は０．０４〜０．０８ｍｍであり得る。
【００５０】
デバイスのパラメータおよび寸法は、使用法および血管のタイプによって異なる。頭蓋内動脈の虚血性脳卒中用途で使用される場合、標的動脈のサイズは２．５〜４．５ｍｍの間で変動する可能性がある。拡張可能な編組構造の直径は、血流を停止させるために血管の直径よりも少なくともわずかに大きくなければならず、したがって２〜７ｍｍの範囲になる。拡張可能な編組構造の長さは、受け入れる長い血塊を支持するのに十分な長さである必要があるが、取り外し可能なシースを引っ張って拡張可能な編組構造を最小限の力で（通常は１０〜６０ｍｍまたは２０〜４０ｍｍ）展開できる程度に短くする必要がある。取り外し可能なシースを引っ張るための引っ張り力は、拡張可能な編組構造の長さに相当する。血管の解剖学的な蛇行性は、引っ張り力をさらに増加させる。より短い拡張可能な編組構造の別の利点は、側枝（ｓｉｄｅ  ｂｒａｎｃｈ）が閉塞する可能性が低減することである。
【００５１】
細長い編組構造は、適切なサイズのマンドレルを使用して、ワイヤを交互の螺旋パターンに巻き付けることによって製造することができる。例えば、１本のワイヤをループさせ、ループの尾部をマンドレルの周りに螺旋状のパターンで巻いて、マンドレルの長さに沿って、すべてのワイヤに交差パターン（１×１パターン）または２本のワイヤごとに交差パターン（２×１パターン）を形成することができる。いくつかのワイヤ（１２〜６４）を使用して編組構造を形成することができる。そのような編組の例は、実施例のセクションにおいて提供される。
【００５２】
本システムはまた、細長い編組構造を血管内に送達するためのカテーテルを含む。本発明の一実施形態によれば、細長い編組構造は、カテーテルシャフトの遠位端に取り付けられることができ、収縮構成のときに取り外し可能なシースによって覆われることができる。シースの除去（近位方向への引っ張り）により、細長い編組構造を展開することができる。
【００５３】
本発明の別の実施形態では、細長い編組構造は、収縮状態でカテーテルシャフトのルーメン内に捕捉され、展開のために押し出される。
【００５４】
細長い編組構造は、バルーンを介して展開するように構成することもできる。そのような構成では、細長い編組構造の拡張は、その中の取り外し可能なバルーンの膨張を必要とする。
【００５５】
上記のように、細長い編組構造の遠位開口部は、閉鎖機構を介して閉鎖可能である。
【００５６】
本発明の一実施形態によれば、細長い編組構造の遠位端は、リーフレット状の閉鎖フラップを形成するループ端で構成される。
【００５７】
開位置にあるとき、ループは、編組構造の壁と同じ平面に位置することができるか、またはループは、編組構造の壁に対して角度を付けることができる。例えば、ループは、外側に１０〜３０°傾けることができる。このような角度付けは、リーフレットが血塊の収集を妨害する可能性、または収集中に不必要に内側に偏向する可能性を減少させる。
【００５８】
ループを形成するワイヤ部分は、編組構造の残りの部分を形成する第２のワイヤ部分と同一であり得るか、または第２のワイヤ部分よりも柔軟であり得る。より細いワイヤ、または異なる特性のワイヤ（例えば、異なる材料から作られる）、または異なる編組パターン−編組構造の密度よりも密度が低い（例えば、ループ用のリブ／ワイヤの長さ０．５ｍｍ、編組構造のひし形リブの長さ３ｍｍ）を使用することにより、増加した柔軟性（ｃｏｍｐｌｉａｎｃｅ）を達成できる。ループをより柔軟にすることにより、例えば、プルワイヤを使用してリーフレットを閉じるときに、細長い編組構造に曲げ力を加えることなく閉じることができる。
【００５９】
細長い編組構造（およびカテーテル）の長さにわたる閉鎖ワイヤは、これらのループまたはそこに形成されたアイレット（例えば、ループの端を捻ることによって）に通されるか、またはそれに取り付けられる。アイレットは、ループと同じ平面に配置することができ、またはループに対して角度を付けることができる（１０〜９０°）。ワイヤを引くと、ループが内側に引っ張られ（弾性的に曲がり）、遠位開口部の中心に入り、それによりループが閉じる。本発明の一実施形態によれば、ワイヤおよびループは、閉鎖後にワイヤをさらに引っ張ることにより、ループを細長い編組構造のルーメン内に反転させること、すなわち、閉じた遠位開口部が近位にそして細長い編組構造のルーメンへと引かれること、ができるように構成することができる。このような特徴は、閉鎖ワイヤを引っ張るためのより長い作動長さを提供するという点で有利である。反転はまた、編組構造内部の血塊を固定するために有益であり、編組構造からの血塊の押し出しを最小限に抑える。編組構造をガイドカテーテルまたはガイドシースに引き戻そうとする間に、押し出し力を血塊に加えることができる。
【００６０】
クロージャー（プル）ワイヤは、１つ以上のフィラメントから作られた金属またはポリマーワイヤであり得る。ワイヤの直径は０．０２〜０．２５ｍｍであり得る。ワイヤは、編組構造の長さに沿って自由に配置することができ、または導管（例えば、ポリマー製チューブまたはスリーブ編組構造内の編組チューブ）内に捕捉することができる。
【００６１】
本発明の一実施形態によれば、閉鎖ワイヤは、細長い編組構造がその長手方向軸に沿って曲がっても、ループを内側に引っ張って遠位開口部を閉じないように、細長い編組構造の長さに沿って配置される。
【００６２】
細長い編組構造の長さは、外側のシースに拘束されるときに長くなる。細長い編組構造内部のプルワイヤの軸方向の長さと、細長い編組構造の長さとは、両方を一緒に圧縮および拡張できるようにするために、類似している必要がある。プルワイヤの軸方向の長さが圧縮時に細長い編組構造の長さと共に増加しない場合、プルワイヤが引き伸ばされてループを内側に引っ張り、ループを損傷して圧縮を妨げる可能性がある。
【００６３】
本発明の一実施形態によれば、この問題は、細長い編組構造と共にその軸長を変化させる細長い編組構造内部のプルワイヤの非線形経路を作成することによって克服することができる。そのような非線形経路は、好ましくは螺旋状（例えば、螺旋またはコルク栓抜き）であるが、曲がりくねった曲線でもあり得る。
【００６４】
本発明の実施形態によれば、プルワイヤの遠位端は、（ループまたはアイレットに通される）円として形作られる。そのような円形のワイヤ部分は、ループを補強し、ループの半径方向の抵抗を増加させる。この目的でプルワイヤを使用すると、ループの遠位端でループに半径方向の力がかかり、ループに最大の外向きのトルクがかかるので、非常に効率的である。
【００６５】
代替の実施形態では、プルワイヤは、編組構造に沿ってループアイレットを通して１回以上回転する螺旋状にされ、次いで編組構造内に螺旋状に戻され、シャフトルーメン内のプルワイヤに取り付けられる。
【００６６】
プルワイヤは、細長い編組構造が拡張するときにプルワイヤがループの拡張に実質的に抵抗しないように、その遠位部分（ループと係合する場所）で柔らかい材料から製造することもできる。例えば、プルワイヤは、複数の材料、すなわち、カテーテルおよび編組構造の長さに沿ったニチノールワイヤ、ならびにループを係合するための遠位部分のポリマー延長部、から構築することができる。
【００６７】
細長い編組構造は、断片化して血流中に放出することができる血塊物質を捕捉するために使用されるので、ポリウレタン、ＰＴＦＥなどから製造されたカバーで覆われることが好ましい。カバーは、細長い編組構造のルーメンからの粒子の漏出を防ぎ、必要に応じてそれを通る吸引の適用を容易にする。
【００６８】
カバーを含む本システムの実施形態では、プルワイヤは、カバーと編組の内壁／外壁との間を、または、カバーと編組の内壁／外壁との間を経路指定する０．０５〜０．５ｍｍの直径を有する管を通して、経路指定されることができる。
【００６９】
ワイヤループは、ループに提供される電流を使用して、閉位置と開位置との間で作動させることができる。ループ上の電荷が電流によって変更されるときに、それはループの動きを作動させる。電荷は、カテーテルの近位端からリーフレットの遠位開口部まで延び、隔離されたルーメンを通過し、近位端の専用電源に接続された金属ワイヤによって適用される。
【００７０】
本発明の別の実施形態によれば、細長い編組構造の遠位端は、アイレットを含む細長いワイヤセグメントで構成される。そのようなワイヤセグメントは、編組構造の延長部であり得るか、またはそれらは、プルワイヤから形成されることができる。
【００７１】
本システムはまた、カテーテルシャフトの近位端に取り付けられたハンドルを含む。ハンドルは、細長い編組構造の展開および遠位開口部の閉鎖を作動させるための制御部を含む。あるいは、細長い編組構造の展開は、ハンドルとは別個にシースの近位端を単に引き込むことによって達成することができる一方で、ハンドルは、遠位開口部の閉鎖のための制御部を含むことができる。ハンドルは、吸引源（例えば、シリンジ、ポンプ）に取り付けることができる。
【００７２】
上記で述べたように、本システムは、任意の生物学的血管から物質または物体を回収するように構成することができる。
【００７３】
本システムは、血管からの血塊の回収に特に有用である。そのようなシステムの例を以下に説明する。
【００７４】
ここで図面を参照すると、図１Ａ〜図１Ｂは、本明細書でシステム１０と呼ばれる血塊回収システムを示す。
【００７５】
システム１０は、カテーテルシャフトの近位端がハンドル１６に取り付けられているカテーテルシャフト１４の遠位端に取り付けられた細長い編組構造１２（拡張状態を示す）を（遠位から近位に向かって）含む。
【００７６】
ハンドル１６は、シース２０に接続することができ、ハンドル１６は、例えば、シース２０（図１Ａに引き戻されて示されている）を引き戻すことによって、またはシース２０から細長い編組構造１２を押し出すことによって、細長い編組構造１２の拡張を作動させるための、そして細長い編組構造１２の遠位開口部２２の開閉を作動させるための、制御部１８を含むことができる。シース２０の遠位端は、ハンドル１６に近づく（例えば５ｃｍ）ように本体の外に配置することができる。シース２０の露出した遠位端をカテーテルシャフト１４に対して引く／押すことは、編組構造１２の拡張（ｅｘｐａｎｓｉｏｎ）／収縮（ｃｏｌｌａｐｓｅ）を制御する。あるいは、プランジャ／プッシュワイヤ機構を使用して、細長い編組構造１２は、シース２０から押し出されることができる。
【００７７】
制御部１８は、シャフトの小さなルーメンを通してリーフレットに接続されたプル（閉鎖）ワイヤを引っ張るためのノブ２４を含むことができる。  制御部１８はまた、シース２０を引き戻すための、または細長い編組構造１２を押すためのスライダを含み得る。
【００７８】
ハンドル１６は、細長い編組構造１２に吸引力を加えるために吸引源１７に取り付けられることができる。吸引源１７は、シリンジ（図１Ａ〜図１Ｂに示されるように）またはポンプであり得る。吸引源１７は、カテーテルシャフト１４内に配置された吸引ルーメンを介して細長い編組構造のルーメンに流体接続されている。
【００７９】
ハンドル１６は、ノブ２４を保持および操作するのに適した形状のポリマーから製造されることができる。
【００８０】
カテーテルシャフト１４は、ハンドル１６を編組構造１２に接続する細長い中空管であり得る。カテーテルシャフト１４は、意図された治療位置に適した長さ、直径、および可撓性から選択される。解剖学的位置が異なると、剛性および軸方向の可撓性が異なるカテーテルシャフト１４が必要になる。シャフトの長さに沿って可変の剛性および軸方向の可撓性を有するカテーテルシャフト１４は、当技術分野でよく知られている。このようなシャフトは、ＰＴＦＥなどの低摩擦層を有する内部ポリマーシャフト、内部層を覆う金属編組またはコイル、およびさまざまなデュロメーター評価のＰＥＢＡＸまたはポリアミド複合材などの外部ポリマー層（ジャケット）を含む、編組またはコイルシャフトであり得る。これらのタイプのシャフトは、曲がりくねった脈管構造または頭蓋内脈管構造への送達に一般的に使用される。
【００８１】
カテーテルシース２０は、シャフト１４および細長い編組構造１２の上をスライドすることができる細長い中空管であり得る。編組構造１２の拡張のためにシースを引き戻すことができるように、シース２０の長さは、シャフト１４および編組構造１２を合わせた長さよりも短くすることができる。シースは、ハンドルから展開可能なシースプルワイヤにより引っ張ることができる。シースの引き戻しにより、自己拡張して血管ルーメンを占める細長い編組構造１２が露出する。
【００８２】
カテーテルシース２０は、意図された治療位置に適した長さ、直径、および可撓性から選択される。遠位の高い可撓性および追跡性能は、柔らかい素材のジャケットおよび金属コイルのデザインを選択することによって達成される。シース２０は、曲がりくねった解剖学的構造の送達のために機能し、近位の剛性および押し込み可能性は、異なる剛性および軸方向の可撓性のカテーテルシース２０を必要とする。シースの長さに沿って可変の剛性および軸方向の可撓性を有するカテーテルシース２０は、当技術分野でよく知られている。このようなカテーテルは、編組またはコイル状にすることができ、ＰＴＦＥなどの低摩擦層を有する内部ポリマーシャフト、内部層を覆う異なるセクションにある金属編組およびコイル、およびさまざまなデュロメーター評価を含むＰＥＢＡＸ、ポリウレタンまたはポリアミド複合材などの外部ポリマー層（ジャケット）を含む。
【００８３】
典型的には、シャフトの近位領域は、カラム力の伝達を最大化するために比較的硬く、剛性は次第に減少し、曲がりくねった解剖学的構造を通る経路指定を可能にするように遠位領域に向かって可撓性が増加する。
【００８４】
カテーテルシャフト１４は、吸引源１７からの吸引を収容するための吸引導管を含むことができる。吸引導管はまた、細長い編組構造１２をシース２０から押し出すためにそれを使用することによって、細長い編組構造１２を展開するために使用され得る。カテーテルシャフト１４はまた、遠位開口部２２を閉鎖／開放するための作動ワイヤを収容するための第２のルーメンを含み得る。吸引導管およびワイヤルーメンは、円形、矩形、または三日月形にすることができる。
【００８５】
カテーテルシャフト１４の外径は、１．５〜３ｍｍ（例えば、１．９ｍｍ）であり得る一方、吸引導管であるカテーテルシャフトの内径は、１．２〜２．８ｍｍであり得る。プル／クロージャーワイヤルーメンの直径は、０．０２〜０．２０ｍｍである。カテーテルシャフトの長さは、１０〜１８０ｃｍの範囲にあり得て、治療対象の血管および場所に応じて選択され得る。
【００８６】
図２Ａ〜図２Ｂは、細長い編組構造１２をより詳細に示す。拡張したとき、細長い編組構造１２は、外径３〜７ｍｍ、長さ２〜５ｃｍ、容積０．１４〜２ｃｍ３のスリーブ／漏斗として形作られる。折り畳まれたとき、細長い編組構造１２は、１．５〜３ｍｍの外径および２〜７ｃｍの長さに拘束される。
【００８７】
細長い編組構造１２は、６〜２４本のワイヤ３０から構成され、各ワイヤ３０はループ３２（６〜１２本のループ３２）を形成する。ワイヤ３０は、直径０．０２５〜０．１ｍｍであり得て、ニチノールまたはステンレス鋼などの合金から、またはポリエチレンまたはポリプロピレンなどのポリマーから作製され得る。各ループワイヤ３０のテール３４は、遠位方向から近位方向に螺旋パターンで逆巻きされる。形成された編組は、交差するワイヤ３０間の角度が７０〜１４０度の範囲であるメッシュを形成するワイヤ３０の交差パターンを含む。
【００８８】
ワイヤ３０の部分３１は、部分３３よりも薄くすることができ、それにより、細長い編組構造の残りの部分よりもループ３２におけるより大きな柔軟性を可能にする。例えば、ワイヤ３０の部分３３は、直径が０．０４〜０．１ｍｍであり得る一方、部分３１は、直径が０．０２５〜０．０５ｍｍであり得る。
【００８９】
ループ３２は、細長い編組構造の遠位端を形成し、２本のワイヤごとまたは３本または４本のワイヤごとに、重なり合うパターンで円周方向に並んで配置される。ループ３２は、細長い編組構造１２の閉鎖機構の一部を形成する。図２Ａおよび図２Ｂの（それぞれ）開いた状態と閉じた状態との間の移行に示されるように、細長い編組構造の閉じた遠位開口２２内側にループ３２を引く。
【００９０】
このような閉鎖は、ハンドル１６から作動される閉鎖ワイヤ３６（図２Ａの破線で強調され、ループ３２で示される）によって促進することができる。閉鎖ワイヤ３６は、０．０２５〜０．２５ｍｍの直径および１５〜２００ｃｍの長さ（ハンドル１６から編組構造１２まで）を有する合金またはポリマーワイヤであり得る。閉鎖ワイヤ３６は、好ましくは、細長い編組構造の長さに沿って螺旋状であり、その内壁または外壁に対して配置される。上述したように、ワイヤ３６の螺旋は、それが、曲がりくねった血管を通しての送達または編組構造の長さの変化に起因する細長い編組構造１２の曲げの影響を打ち消すという点で有利である。細長い編組構造１２をまっすぐ走るワイヤは、細長い編組構造が曲げられるとき（例えば、湾曲した血管を通して送達されるかまたは配置されるとき）または拡張／収縮すると、短くなり、したがって遠位開口部２２の閉鎖を作動させる。
【００９１】
閉鎖ワイヤ３６が細長い編組構造１２の長さに沿って螺旋状に巻かれ、アイレット５０に通され、次いで細長い編組構造１２の長さに沿って戻される、本デバイスの実施形態が図２Ｃに示されている。本デバイスのそのような構成では、閉鎖ワイヤ３６の両端は、ハンドルに経路指定され、単一のワイヤに、または直接作動ノブに取り付けられる。この二重螺旋ワイヤ構成は、ワイヤが対称的な方法で取り付けられ、アイレット５０における摩擦がより均一に分配されるので、遠位開口部作動の信頼性を高める。これにより、遠位端の完全な開口に対抗できる摩擦が減少し、遠位開口が引かれて閉じたときの操作がよりスムーズになる。
【００９２】
細長い編組構造１２は、高度に湾曲した血管に適合し、大きな血塊を回収できるように設計されている。  また、拡張時に血管内の流れを阻止し、血塊がカプセル化されると血塊と血管との相互作用を防ぐようにも設計されている。
【００９３】
細長い編組構造１２はまた、拡張前および蛍光透視法を使用する回収中に、オペレータが漏斗の位置を識別することを可能にする放射線不透過性マーカ（例えば、金、プラチナまたはタンタル）を含むことができる。一実施形態によれば、編組ワイヤの少なくとも１つは、ニチノールワイヤ（例えば、ＤＦＴワイヤ）の内側にプラチナなどの放射線不透過性コアワイヤを含むことができる。放射線不透過性クリンプは、１つ以上のリーフレットループに取り付けることができる。クロージャーワイヤはＤＦＴワイヤであることもできる。
【００９４】
細長い編組構造１２は、オペレータが吸引源１７を使用して細長い編組構造１２のルーメン内に血塊を吸引できるように、薄くて柔軟なポリマーカバー４０で（内部または外部に）コーティングされることができる。ステントおよび編組構造のコーティングは、当技術分野でよく知られている。それは、ディッピングスプレーまたは堆積などのさまざまな技術を使用して行われる。これは通常、構造すなわち構造ストラットを非常に薄い層でコーティングする第１のステップと、構造をマンドレルにマウントしてマンドレルをコーティングしてストラット間のセルを覆い、円筒状コーティングを形成する第２のステップと、を組み合わせる。
【００９５】
コート４０は、性能（例えば、編組１２の屈曲性）に大きな影響を与える可能性があるので、好ましくは、厚さが５〜３０ミクロンであるポリウレタンなどの柔軟な材料から製造される。
【００９６】
コート４０で覆われた細長い編組構造１２は、非常に高い弾性を示すことができる。コーティングの弾性は主に、圧縮構成と拡張構成との間の移行にとって重要である。編組構造のセルは、ひし形である。編組構造が外側のシースに圧縮されると、セルの軸方向の軸（編組構造の軸に沿った）は１００％以上伸び、ポリマーコーティングはそのような伸びを引き裂くことなく許容するはずである。
【００９７】
細長い編組構造１２の内面または外面の長さに沿ってルーメンを形成することができる（例えば、コート４０内に形成される）。そのようなルーメンは、カテーテルシャフト１４の長さにわたって延びる導管を介してハンドル１６に接続されることができる。ルーメンは、血塊位置と干渉することなく血塊の存在を識別するために、血管ルーメンに造影剤を投与するために使用することができる。
【００９８】
細長い編組構造１２の拡張された直径は、その長さ全体にわたって、またはループ３２において、血管の直径よりもわずかに大きく構成される。これは、細長い編組構造１２と血管壁との間の緊密なシールおよび血流の閉塞を確実にする。このような閉塞は、「きれいな」血液の吸引が血栓部位に流入するのを防ぎ、血塊の吸引を促進し、血塊粒子が細長い編組構造１２を通過して流れるのを防ぐ。
【００９９】
ループ３２は、丸みを帯びたまたは三角形の形状（または他の適切な形状）であり、長さ１〜４ｍｍ（例えば、３ｍｍ）、ベース（最初のワイヤ交差の領域）で２＊ＰＩ＊Ｄ／ループ数の幅である。
【０１００】
ループ３２は、外側に広がるか、または細長い編組構造１２の壁と連続することができる。
【０１０１】
各ループ３２またはいくつかのループ３０は、そこを通る閉鎖ワイヤ３６の経路指定のためのアイレット５０を含み得る。アイレット５０は、細長い編組構造１２に接する軸（例えば、ループ３２の平面に対して９０°回転した９０）を有して配向することができ、その結果、ワイヤ３６とループ３２との間の摩擦を低減し、そしてそれはループ３２を閉じるために必要な引張力を低減しながら、固く縛られて閉じることができる円を形成するために、閉鎖ワイヤ３６をアイレット５０に通すことができる。摩擦を減らすために、コート４０は、ループ３２で終了して、アイレット５０を覆わないことができる。
【０１０２】
アイレット５０は、ループ３２の端部を捻ることによって、またはループ３２の端部にアイレット５０を溶接／はんだ付けすることによって、形成することができる。
【０１０３】
本システムは、血塊などの生体物質またはステントなどの物体を回収するために使用することができる（図５）。
【０１０４】
以下は、経皮的アプローチを使用した動脈などの血管からの血塊の回収における本システムの使用を説明する。
【０１０５】
ガイドカテーテルまたはガイドシースは、内頸動脈に配置され、本システムは、ガイドワイヤ（ＧＷ）を有するマイクロカテーテル上の３軸システムとして送達される。本システムは、シースの遠位端が血塊の近位になるまでシース内で収縮された編組構造とともに、蛍光透視下でマイクロカテーテルＧＷ上を誘導される（図３Ａ、図３Ｂ）。
【０１０６】
細長い編組構造を展開し、それが血管の直径および形状まで自己拡張できるようにし（図３Ｃ）、それにより動脈の血流を停止させるために、オペレータは、カテーテルシャフトを前進させながらシースを引っ張る。
【０１０７】
オペレータはマイクロカテーテルＧＷを後退させ、シリンジまたはポンプをハンドルの近位端に接続する。シリンジ／ポンプを使用して、血塊を漏斗内に吸引する（図３Ｄ）。あるいは、ステント回収器（図５）を使用して血塊を回収し、その後、ステント回収器および血塊が本デバイスによって吸引または捕捉される。
【０１０８】
血塊が編組構造内に完全に回収されたら（図３Ｄ）、オペレータは、ハンドルのノブを回して編組構造の遠位開口部を閉じ、血塊をカプセル化する（図３Ｅ）。
【０１０９】
次に、編組構造がシースの中に引き込まれ、システムが身体から取り外される。次に、オペレータは、カテーテルを通して造影剤を注入することができ、血塊が除去されていることを確認することができる。
【０１１０】
あるいは、細長い編組構造１２は、血塊と接触して展開されることができ、次いで、遠位開口部２２は、（閉鎖ワイヤ３６の部分的な引っ張りを介して）部分的に閉鎖され、先細の先端を形成することができる。次に、真空を適用して、血塊を細長い編組構造１２のルーメンに吸引することができ、その後、遠位開口部２２を完全に閉じることができ、カテーテルを血管から引き込むことができる。
【０１１１】
細長い構造を編組することは、それが軸方向の可撓性を特徴とし、したがって湾曲した解剖学的構造に非常に適応できるチューブ構造をもたらすので、好ましい。ただし、チューブのレーザー切断などの他のテクノロジーは、湾曲の少ない解剖学的構造に使用することができ、また、これらのテクノロジーの将来の進歩により、軸方向の可撓性の性能が向上する場合もある。チューブからのレーザー切断は、ブリッジで相互接続されたジグザグリングの軸配列を含む、自己拡張型ステントに使用されるパターンと同様のパターンを使用する。レーザー切断された細長い構造においてループをより柔軟にするために、ループは、細長い構造の他の部分よりも狭いプロファイルで切断され得る。
【０１１２】
その遠位端の閉鎖能力に起因して、本デバイスはまた、血管壁との高い摩擦を有し、編組構造内に完全に吸引することができない、大きくかつ硬い血塊を捕らえるために使用することができる。そのような場合、リーフレットは、血塊の上で閉じることができ、血塊物質を噛み込むことができ、血塊を体外に捕らえ出すことができる。
【０１１３】
編組構造のリーフレットは、組織の生検にも使用できる。そのような場合、ループワイヤは、遠位端が組織を覆って閉じられるときに、組織の一部が切断されることができて、編組構造内に回収されることができるように、組織の切断を可能にするようにプロファイルされ得る。
【０１１４】
本明細書で使用される場合、「約」という用語は、±１０％を指す。
【実施例】
【０１１５】
ここで、以下の実施例を参照するが、これらの実施例は、上記の説明と共に、本発明を非限定的な方法で例示する。
【０１１６】
［実施例１］
編組構造の製造
図４Ａ〜図４Ｃに示す細長い編組構造は、直径０．０６ｍｍの９本のニチノールワイヤ、３本のＤＦＴワイヤから製造された。技術者は、それらのワイヤを専用ジグに取り付け、アイレットを作成し、次いでワイヤを交差させて遠位ループを作成し、次いでワイヤを交差させて編組構造を作成した。次に、その形状を維持するためにその構造を熱処理した。ハンドル、シャフトおよびシースは別々に製造された。
【０１１７】
次に、編組構造は、浸漬によりポリウレタン薄層０．０２０ｍｍでコーティングされた。
【０１１８】
クロージャーワイヤは、特殊治具を用いて適切な形状に熱処理される。次に、漏斗の遠位ループのアイレットに通して、一端を固定する。次に、ワイヤを漏斗の内側に配置し、遠位端から近位端までシャフト側ルーメンに通して、ハンドルに接続する。
【０１１９】
次に、細長い編組構造を、融合プロセスを使用してシャフトに接続した。
【０１２０】
編組構造の閉鎖と開放は、閉鎖ワイヤの近位端を（それぞれ）引っ張る／解放することで成功裏にテストされた（それぞれ図４Ｂと図４Ａ）。内側に反転したクロージャを達成するためのクロージャーワイヤの引っ張りも成功裏にテストされた（図４Ｃ）。
【０１２１】
［実施例２］
動物研究
ブタモデル（雌、４９ｋｇ）を使用した動物試験を実施して、血栓除去と遠位塞栓形成の防止における本デバイスのプロトタイプをテストした。
【０１２２】
いくつかのプロトタイプを使用して、シースの設計、シースの材料、および放射線不透過性マーカを評価した。
【０１２３】
研究前に動物から自己血を採取し、放射線不透過性のために全血を硫酸バリウムと混合し、混合物を室温で１時間インキュベートすることにより、全血血栓を作成するために使用した。次に、ガイドカテーテルを通して選択された血管（総頸動脈枝）に血栓を注入した。血塊位置は、蛍光透視法（血管造影）下で造影剤注入により検査された。
【０１２４】
［結果］
本システムは、シースの先端が血塊の近位に配置されるまで、総頸動脈枝の閉塞部位に誘導された。漏斗が完全に展開されるまで、シースを引き込んだ。３０  ｃｃシリンジをカテーテルハブに接続し、シリンジプランジャをゆっくりと引いて、真空を生成し、血塊を吸引した。一旦、血塊が編組構造内で視覚化されたら（図６）、カテーテルのハンドルのノブを回してワイヤループ（リーフレット）を閉じた。閉鎖は、編組構造に収縮されたリーフレットで視覚化された。編組構造をガイドシース内に引き込み、カテーテルを身体から取り外した。漏斗から血塊の破片は放出されなかった。血管造影（ａｎｇｉｏｇｒａｐｈ）を行って、動脈の再疎通を確認した（図７）。
【０１２５】
明確にするため別個の実施形態の文脈で説明されている本発明の特定の特徴は、単一の実施形態に組み合わせて提供することもできることは分かるであろう。逆に、簡潔にするために単一の実施形態の文脈で説明されている本発明のさまざまな特徴は、別個にまたは任意の適切なサブコンビネーションで提供することもできる。
【０１２６】
本発明は、その特定の実施形態に関連して説明されてきたが、多くの代替、修正、および変形が当業者には明らかであることは明白である。したがって、添付の特許請求の範囲の精神および広い範囲内にあるそのようなすべての代替、修正、および変形を包含することが意図されている。この明細書で言及されているすべての出版物、特許、および特許出願は、個々の出版物、特許、または特許出願が参照により本明細書に組み込まれることが具体的かつ個別に示されている場合と同じ程度に、参照によりその全体が本明細書に組み込まれる。さらに、本出願における参考文献の引用または特定は、そのような参考文献が本発明の先行技術として利用可能であることの承認として解釈されるべきではない。
【図１Ａ】
2021511844.tif 000003
【図１Ｂ】
2021511844.tif 000004
【図２Ａ】
2021511844.tif 000005
【図２Ｂ】
2021511844.tif 000006
【図２Ｃ】
2021511844.tif 000007
【図３Ａ】
2021511844.tif 000008
【図３Ｂ】
2021511844.tif 000009
【図３Ｃ】
2021511844.tif 000010
【図３Ｄ】
2021511844.tif 000011
【図３Ｅ】
2021511844.tif 000012
【図４Ａ】
2021511844.tif 000013
【図４Ｂ】
2021511844.tif 000014
【図４Ｃ】
2021511844.tif 000015
【図５】
2021511844.tif 000016
【図６】
2021511844.tif 000017
【図７】
2021511844.tif 000018
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
生体血管から物質または物体を回収するためのシステムであって、
（ａ）収縮状態と拡張状態との間を移行するように構成された細長い構造であって、前記細長い構造は、前記拡張状態にあるときに遠位開口部を有するルーメンを取り囲む、細長い構造と、
（ｂ）前記細長い構造の長さに沿って配置された閉鎖ワイヤであって、前記閉鎖ワイヤは、前記細長い構造の遠位部分を内側に引っ張って、それにより前記遠位開口部を少なくとも部分的に閉じるように作動可能である、閉鎖ワイヤと、を含み、
前記閉鎖ワイヤは、前記細長い構造が前記長さに沿って曲げられたときに、前記細長い構造の前記遠位部分が内側に引っ張られないように配置される、システム。
【請求項２】
前記細長い構造は、細長い編組構造である、請求項１に記載のシステム。
【請求項３】
前記閉鎖ワイヤは、前記細長い編組構造の前記長さに沿って螺旋状である、請求項２に記載のシステム。
【請求項４】
前記細長い編組構造の前記遠位部分は、アイレットを含み、さらに前記閉鎖ワイヤは、前記アイレットのうちの少なくともいくつかを通って延びる、請求項２に記載のシステム。
【請求項５】
前記細長い編組構造は、複数の逆螺旋状に巻かれたワイヤと交差する複数の螺旋状に巻かれたワイヤを含む、請求項２に記載のシステム。
【請求項６】
前記複数の螺旋状に巻かれたワイヤのうちの少なくともいくつかは、前記複数の逆螺旋状に巻かれたワイヤと７０〜１２０°の角度で交差する、請求項５に記載のシステム。
【請求項７】
前記細長い編組構造の遠位端は、複数のワイヤループを形成する、請求項６に記載のシステム。
【請求項８】
アイレットの平面は、ワイヤループの平面とは異なる、請求項７に記載のシステム。
【請求項９】
前記複数のワイヤループの各々は、螺旋状に巻かれたワイヤを逆螺旋状に巻かれたワイヤに相互接続する、請求項７に記載のシステム。
【請求項１０】
前記複数のワイヤループは、互いに交差する、請求項７に記載のシステム。
【請求項１１】
前記細長い編組構造に取り付けられたカテーテルをさらに含む、請求項２に記載のシステム。
【請求項１２】
前記細長い編組構造は、前記カテーテルの遠位部分内で収縮した状態に維持可能である、請求項１１に記載のシステム。
【請求項１３】
前記カテーテルの前記遠位部分は、シースを含み、前記細長い編組構造は、前記シースが引き込まれると、自己拡張する、請求項１２に記載のシステム。
【請求項１４】
前記細長い編組構造は、カバーを含む、請求項２に記載のシステム。
【請求項１５】
前記閉鎖ワイヤは、前記編組構造と前記カバーとの間に捕捉されるか、または前記カバー内に埋め込まれる、請求項１４に記載のシステム。
【請求項１６】
前記複数のワイヤループのうちの１つのループを形成するワイヤ部分は、前記複数のワイヤループの近位にある前記細長い編組構造を形成する第２のワイヤ部分よりも柔軟である、請求項７に記載のシステム。
【請求項１７】
前記複数のワイヤループの各々は、前記遠位開口部から外向きに角度を付ける、請求項７に記載のシステム。
【請求項１８】
収縮状態と拡張状態との間で移行するように構成された細長い編組構造を含み、前記細長い編組構造は、前記拡張状態にあるときに遠位開口部を有するルーメンを取り囲む、生体血管から物質または物体を回収するためのシステムであって、
前記細長い編組構造は、前記細長い編組構造の前記遠位開口部の周りに複数のワイヤループを形成する、複数の逆螺旋巻きワイヤと交差する複数の螺旋巻きワイヤを含む、システム。
【請求項１９】
前記複数のワイヤループの各々は、螺旋状に巻かれたワイヤを逆螺旋状に巻かれたワイヤに相互接続する、請求項１８に記載のシステム。
【請求項２０】
前記複数の螺旋状に巻かれたワイヤは、前記複数の逆螺旋状に巻かれたワイヤと７０〜１２０°の角度で交差する、請求項１８に記載のシステム。
【国際調査報告】
2021511844.tif 000019
2021511844.tif 000020